(57)【特許請求の範囲】
【請求項１】
周波数の異なる二つのノイズ信号を発生する送信機、上記ノイズ信号を空間に放射する際の位相を制御する位相制御器、上記送信機からの二つのノイズ信号を分配し、上記位相制御器からの位相データに基づいてビームを形成するビーム形成回路、上記送信機と上記ビーム形成回路を結ぶ２系統の信号伝送線路、上記位相制御器と上記ビーム形成回路を結ぶ２系統の信号伝送線路、および空間に電波ビームを放射する素子アンテナからなるフェーズド・アレー・アンテナを備え、上記フェーズド・アレー・アンテナの開口面を２分割し、分割された一方の開口面に一方の周波数のノイズ信号を、また、分割された他方の開口面に他方の周波数のノイズ信号を供給するとともに、上記ノイズ信号の周波数および位相をそれぞれ独立に制御し、開口面が２分割された上記フェーズド・アレー・アンテナから広帯域ノイズ信号を同一方向に指向性を持たせて送信するようにしたことを特徴とするノイズ信号送信方式。
【請求項２】
周波数の異なる二つのノイズ信号を発生する送信機、上記ノイズ信号を空間に放射する際の位相を制御する位相制御器、上記送信機からの二つのノイズ信号を分配し、上記位相制御器からの位相データに基づいてビームを形成するビーム形成回路、上記送信機と上記ビーム形成回路を結ぶ２系統の信号伝送線路、上記位相制御器と上記ビーム形成回路を結ぶ２系統の信号伝送線路、および空間に電波ビームを放射する素子アンテナからなるフェーズド・アレー・アンテナを備え、上記フェーズド・アレー・アンテナの開口面を２分割し、分割された一方の開口面に一方の周波数のノイズ信号を、また、分割された他方の開口面に他方の周波数のノイズ信号を供給するとともに、上記ノイズ信号の周波数および位相をそれぞれ独立に制御し、開口面が２分割された上記フェーズド・アレー・アンテナの一方から広帯域ノイズ信号をまた他方からスポットノイズ信号を同時に同一方向に指向性を持たせて送信するようにしたことを特徴とするノイズ信号送信方式。
【請求項３】
上記スポットノイズ信号の周波数をスイープさせるようにしたことを特徴とする請求項２記載のノイズ信号送信方式。
【請求項４】
周波数の異なるｎ個（ｎは整数でｎ＞２）のノイズ信号を発生する送信機、上記送信信号を空間に放射する際の位相を制御する位相制御器、上記送信機からのノイズ信号を分配し、上記位相制御器からの位相データに基づいてビームを形成するビーム形成回路、上記送信機と上記ビーム形成回路を結ぶｎ系統の信号伝送線路、上記位相制御器と上記ビーム形成回路を結ぶｎ系統の信号伝送線路、および空間に電波ビームを放射する素子アンテナからなるフェーズド・アレー・アンテナを備え、上記フェーズド・アレー・アンテナの開口面をｎ分割するとともに、分割された開口面に供給するノイズ信号の周波数および位相をそれぞれ独立に制御し、開口面がｎ分割された上記フェーズド・アレー・アンテナから広帯域ノイズ信号を同一方向に指向性を持たせて送信するようにしたことを特徴とするノイズ信号送信方式。
【請求項５】
周波数の異なるｎ個（ｎは整数でｎ＞２）のノイズ信号を発生する送信機、上記送信信号を空間に放射する際の位相を制御する位相制御器、上記送信機からのノイズ信号を分配し、上記位相制御器からの位相データに基づいてビームを形成するビーム形成回路、上記送信機と上記ビーム形成回路を結ぶｎ系統の信号伝送線路、上記位相制御器と上記ビーム形成回路を結ぶｎ系統の信号伝送線路、および空間に電波ビームを放射する素子アンテナからなるフェーズド・アレー・アンテナを備え、上記フェーズド・アレー・アンテナの開口面をｎ分割するとともに、分割された開口面に供給するノイズ信号の周波数および位相をそれぞれ独立に制御し、開口面がｎ分割された上記フェーズド・アレー・アンテナの一つの箇所から広帯域ノイズ信号をまた残りの箇所からマルチスポットノイズ信号を同時に同一方向に指向性を持たせて送信するようにしたことを特徴とするノイズ信号送信方式。
【請求項６】
上記マルチスポットノイズ信号の周波数をスイープさせるようにしたことを特徴とする請求項５記載のノイズ信号送信方式。
【請求項７】
周波数の異なるｎ個（ｎは整数でｎ＞２）のノイズ信号を発生する送信機、上記送信信号を空間に放射する際の位相を制御する位相制御器、上記送信機からのノイズ信号を分配し、上記位相制御器からの位相データに基づいてビームを形成するビーム形成回路、上記送信機と上記ビーム形成回路を結ぶｎ系統の信号伝送線路、上記位相制御器と上記ビーム形成回路を結ぶｎ系統の信号伝送線路、および空間に電波ビームを放射する素子アンテナからなるフェーズド・アレー・アンテナを備え、上記フェーズド・アレー・アンテナの開口面をｎ分割するとともに、分割された開口面に供給するノイズ信号の周波数および位相をそれぞれ独立に制御し、開口面がｎ分割された上記フェーズド・アレー・アンテナのそれぞれから、任意の数、任意の方向の目標に対してノイズ信号を送信できるようにしたことを特徴とするノイズ信号送信方式。
【請求項８】
周波数の異なる二つのノイズ信号を発生する送信機、送信信号を空間に放射する際の位相を制御する位相制御器、上記送信機からの周波数信号を分配し、上記位相制御器からの位相データに基づいてビームを形成するビーム形成回路、上記送信機と上記ビーム形成回路を結ぶ２系統の信号伝送線路、上記位相制御器と上記ビーム形成回路を結ぶ２系統の信号伝送線路、および空間にビームを放射する素子アンテナからなるフェーズド・アレー・アンテナを備え、上記フェーズド・アレー・アンテナの開口面を、二つの異なる周波数のノイズ信号を放射する素子アンテナを空間的に交互にまたはランダムに配置したいわゆる複合２分割するとともに、分割された開口面に供給するノイズ信号の周波数および位相をそれぞれ独立に制御し、開口面が複合２分割された上記フェーズド・アレー・アンテナから広帯域ノイズ信号を同一方向に指向性を持たせて送信するようにしたことを特徴とするノイズ信号送信方式。
【請求項９】
周波数の異なる二つのノイズ信号を発生する送信機、送信信号を空間に放射する際の位相を制御する位相制御器、上記送信機からの周波数信号を分配し、上記位相制御器からの位相データに基づいてビームを形成するビーム形成回路、上記送信機と上記ビーム形成回路を結ぶ２系統の信号伝送線路、上記位相制御器と上記ビーム形成回路を結ぶ２系統の信号伝送線路、および空間にビームを放射する素子アンテナからなるフェーズド・アレー・アンテナを備え、上記フェーズド・アレー・アンテナの開口面を、二つの異なる周波数のノイズ信号を放射する素子アンテナを空間的に交互にまたはランダムに配置したいわゆる複合２分割するとともに、分割された開口面に供給するノイズ信号の周波数および位相をそれぞれ独立に制御し、開口面が複合２分割された上記フェーズド・アレー・アンテナの一方から広帯域ノイズ信号をまた他方からスポットノイズ信号を同時に同一方向に指向性を持たせて送信するようにしたことを特徴とするノイズ信号送信方式。
【請求項１０】
上記スポットノイズ信号の周波数をスイープさせるようにしたことを特徴とする請求項９記載のノイズ信号送信方式。
【請求項１１】
異なるｎ個（ｎは整数でｎ＞２）のノイズ信号を発生する送信機、送信信号を空間に放射する際の位相を制御する位相制御器、上記送信機からの周波数信号を分配し、上記位相制御器からの位相データに基づいてビームを形成するビーム形成回路、上記送信機と上記ビーム形成回路を結ぶｎ系統の信号伝送線路、上記位相制御器と上記ビーム形成回路を結ぶｎ系統の信号伝送線路、および空間にビームを放射する素子アンテナからなるフェーズド・アレー・アンテナを備え、上記フェーズド・アレー・アンテナの開口面を、ｎ個の異なる周波数のノイズ信号を放射する素子アンテナを空間的に交互またはランダムに配置したいわゆる複合ｎ分割するとともに、分割された開口面に供給するノイズ信号の周波数および位相をそれぞれ独立に制御し、開口面が複合ｎ分割された上記フェーズド・アレー・アンテナから広帯域ノイズ信号を同一方向に指向性を持たせて送信するようにしたことを特徴とするノイズ信号送信方式。
【請求項１２】
異なるｎ個（ｎは整数でｎ＞２）のノイズ信号を発生する送信機、送信信号を空間に放射する際の位相を制御する位相制御器、上記送信機からの周波数信号を分配し、上記位相制御器からの位相データに基づいてビームを形成するビーム形成回路、上記送信機と上記ビーム形成回路を結ぶｎ系統の信号伝送線路、上記位相制御器と上記ビーム形成回路を結ぶｎ系統の信号伝送線路、および空間にビームを放射する素子アンテナからなるフェーズド・アレー・アンテナを備え、上記フェーズド・アレー・アンテナの開口面を、ｎ個の異なる周波数のノイズ信号を放射する素子アンテナを空間的に交互またはランダムに配置したいわゆる複合ｎ分割するとともに、分割された開口面に供給するノイズ信号の周波数および位相をそれぞれ独立に制御し、開口面が複合ｎ分割された上記フェーズド・アレー・アンテナの一つの箇所から広帯域ノイズ信号をまた残りの箇所からマルチスポットノイズ信号を同時に同一方向に指向性を持たせて送信するようにしたことを特徴とするノイズ信号送信方式。
【請求項１３】
上記マルチスポットノイズ信号の周波数をスイープさせるようにしたことを特徴とする請求項１２記載のノイズ信号送信方式。
【請求項１４】
異なるｎ個（ｎは整数でｎ＞２）のノイズ信号を発生する送信機、送信信号を空間に放射する際の位相を制御する位相制御器、上記送信機からの周波数信号を分配し、上記位相制御器からの位相データに基づいてビームを形成するビーム形成回路、上記送信機と上記ビーム形成回路を結ぶｎ系統の信号伝送線路、上記位相制御器と上記ビーム形成回路を結ぶｎ系統の信号伝送線路、および空間にビームを放射する素子アンテナからなるフェーズド・アレー・アンテナを備え、上記フェーズド・アレー・アンテナの開口面を、ｎ個の異なる周波数のノイズ信号を放射する素子アンテナを空間的に交互またはランダムに配置したいわゆる複合ｎ分割するとともに、分割された開口面に供給するノイズ信号の周波数および位相をそれぞれ独立に制御し、開口面が複合ｎ分割された上記フェーズド・アレー・アンテナのそれぞれから、任意の数、任意の方向の目標に対してノイズ信号を送信できるようにしたことを特徴とするノイズ信号送信方式。
【発明の詳細な説明】
【０００１】
【発明の属する技術分野】
この発明は、フェーズド・アレー・アンテナの開口面を分割し、分割したそれぞれの箇所から放射する信号の周波数および位相を制御して、ノイズ信号を放射するノイズ信号送信方式に関するものである。
【０００２】
【従来の技術】
図１５は従来のノイズ信号送信方式の送信システムブロック図（出典：ＬＥＲＯＹ Ｂ．ＢＲＵＮＴ：“ＡＰＰＬＩＥＤ ＥＣＭ”、ＶＯＬ．１，ｐ．２１０，ＦＩＧＵＲＥ４１）であり、図において、１は送信信号を発生する送信機、２は放射電波の位相を制御する位相制御器、３は送信機１からの信号を分配し位相制御器２からの位相データに基づいてビームを形成するビーム形成回路、４は空間に電波ビームを放射する素子アンテナである。
【０００３】
次に動作を説明する。従来のノイズ信号送信方式は上記のように構成され、送信機１で発生した送信信号は、ビーム形成回路３を通して分配され、素子アンテナ４に供給され、空間に放射される。一方位相制御器２は放射電波の位相を制御することにより、送信信号のビーム指向角を設定し、位相データをビーム形成回路３に供給する。
【０００４】
【発明が解決しようとする課題】
従来のノイズ信号送信方式は、以上のように構成されているので、図７のような周波数特性の電波を放射し、広帯域にわたってノイズ信号を発生させるパラージ信号の送信をしようとすると、図１６のように、周波数の差によりビーム指向角のずれが生じるという問題点があった。
【０００５】
この発明は上記のような問題点を解消するためになされたもので、ビーム指向角のずれを生じさせずに、広帯域ノイズ信号の送信を実現し、また目標である相手レーダの受信ノイズレベルを上げ、効果的なノイズ信号送信をするノイズ信号送信方式を得ることを目的としている。またこれらのノイズ信号送信を、任意数、任意方位の多目標に対して同時に実施できるノイズ信号送信方式を得ることを目的としている。
【０００６】
【課題を解消するための手段】
この発明に係るノイズ信号送信方式は、周波数の異なる二つのノイズ信号を発生する送信機、上記ノイズ信号を空間に放射する際の位相を制御する位相制御器、上記送信機からの二つのノイズ信号を分配し、上記位相制御器からの位相データに基づいてビームを形成するビーム形成回路、上記送信機と上記ビーム形成回路を結ぶ２系統の信号伝送線路、上記位相制御器と上記ビーム形成回路を結ぶ２系統の信号伝送線路、および空間に電波ビームを放射する素子アンテナからなるフェーズド・アレー・アンテナを備え、上記フェーズド・アレー・アンテナの開口面を２分割し、分割された一方の開口面に一方の周波数のノイズ信号を、また、分割された他方の開口面に他方の周波数のノイズ信号を供給するとともに、上記ノイズ信号の周波数および位相をそれぞれ独立に制御し、開口面が２分割された上記フェーズド・アレー・アンテナから広帯域ノイズ信号を同一方向に指向性を持たせて送信するようにしたものである。
【０００７】
また、周波数の異なる二つのノイズ信号を発生する送信機、上記ノイズ信号を空間に放射する際の位相を制御する位相制御器、上記送信機からの二つのノイズ信号を分配し、上記位相制御器からの位相データに基づいてビームを形成するビーム形成回路、上記送信機と上記ビーム形成回路を結ぶ２系統の信号伝送線路、上記位相制御器と上記ビーム形成回路を結ぶ２系統の信号伝送線路、および空間に電波ビームを放射する素子アンテナからなるフェーズド・アレー・アンテナを備え、上記フェーズド・アレー・アンテナの開口面を２分割し、分割された一方の開口面に一方の周波数のノイズ信号を、また、分割された他方の開口面に他方の周波数のノイズ信号を供給するとともに、
上記ノイズ信号の周波数および位相をそれぞれ独立に制御し、開口面が２分割された上記フェーズド・アレー・アンテナの一方から広帯域ノイズ信号をまた他方からスポットノイズ信号を同時に同一方向に指向性を持たせて送信するようにしたものである。
【０００８】
また、上記スポットノイズ信号の周波数をスイープさせるようにしたものである。
【０００９】
また、周波数の異なるｎ個（ｎは整数でｎ＞２）のノイズ信号を発生する送信機、上記送信信号を空間に放射する際の位相を制御する位相制御器、上記送信機からのノイズ信号を分配し、上記位相制御器からの位相データに基づいてビームを形成するビーム形成回路、上記送信機と上記ビーム形成回路を結ぶｎ系統の信号伝送線路、上記位相制御器と上記ビーム形成回路を結ぶｎ系統の信号伝送線路、および空間に電波ビームを放射する素子アンテナからなるフェーズド・アレー・アンテナを備え、上記フェーズド・アレー・アンテナの開口面をｎ分割するとともに、分割された開口面に供給するノイズ信号の周波数および位相をそれぞれ独立に制御し、開口面がｎ分割された上記フェーズド・アレー・アンテナから広帯域ノイズ信号を同一方向に指向性を持たせて送信するようにしたものである。
【００１０】
また、周波数の異なるｎ個（ｎは整数でｎ＞２）のノイズ信号を発生する送信機、上記送信信号を空間に放射する際の位相を制御する位相制御器、上記送信機からのノイズ信号を分配し、上記位相制御器からの位相データに基づいてビームを形成するビーム形成回路、上記送信機と上記ビーム形成回路を結ぶｎ系統の信号伝送線路、上記位相制御器と上記ビーム形成回路を結ぶｎ系統の信号伝送線路、および空間に電波ビームを放射する素子アンテナからなるフェーズド・アレー・アンテナを備え、上記フェーズド・アレー・アンテナの開口面をｎ分割するとともに、分割された開口面に供給するノイズ信号の周波数および位相をそれぞれ独立に制御し、開口面がｎ分割された上記フェーズド・アレー・アンテナの一つの箇所から広帯域ノイズ信号をまた残りの箇所からマルチスポットノイズ信号を同時に同一方向に指向性を持たせて送信するようにしたものである。
【００１１】
また、上記マルチスポットノイズ信号の周波数をスイープさせるようにしたものである。
【００１２】
また、周波数の異なるｎ個（ｎは整数でｎ＞２）のノイズ信号を発生する送信機、上記送信信号を空間に放射する際の位相を制御する位相制御器、上記送信機からのノイズ信号を分配し、上記位相制御器からの位相データに基づいてビームを形成するビーム形成回路、上記送信機と上記ビーム形成回路を結ぶｎ系統の信号伝送線路、上記位相制御器と上記ビーム形成回路を結ぶｎ系統の信号伝送線路、および空間に電波ビームを放射する素子アンテナからなるフェーズド・アレー・アンテナを備え、上記フェーズド・アレー・アンテナの開口面をｎ分割するとともに、分割された開口面に供給するノイズ信号の周波数および位相をそれぞれ独立に制御し、開口面がｎ分割された上記フェーズド・アレー・アンテナのそれぞれから、任意の数、任意の方向の目標に対してノイズ信号を送信できるようにしたものである。
【００１３】
また、周波数の異なる二つのノイズ信号を発生する送信機、送信信号を空間に放射する際の位相を制御する位相制御器、上記送信機からの周波数信号を分配し、上記位相制御器からの位相データに基づいてビームを形成するビーム形成回路、上記送信機と上記ビーム形成回路を結ぶ２系統の信号伝送線路、上記位相制御器と上記ビーム形成回路を結ぶ２系統の信号伝送線路、および空間にビームを放射する素子アンテナからなるフェーズド・アレー・アンテナを備え、上記フェーズド・アレー・アンテナの開口面を、二つの異なる周波数のノイズ信号を放射する素子アンテナを空間的に交互にまたはランダムに配置したいわゆる複合２分割するとともに、分割された開口面に供給するノイズ信号の周波数および位相をそれぞれ独立に制御し、開口面が複合２分割された上記フェーズド・アレー・アンテナから広帯域ノイズ信号を同一方向に指向性を持たせて送信するようにしたものである。
【００１４】
また、周波数の異なる二つのノイズ信号を発生する送信機、送信信号を空間に放射する際の位相を制御する位相制御器、上記送信機からの周波数信号を分配し、上記位相制御器からの位相データに基づいてビームを形成するビーム形成回路、上記送信機と上記ビーム形成回路を結ぶ２系統の信号伝送線路、上記位相制御器と上記ビーム形成回路を結ぶ２系統の信号伝送線路、および空間にビームを放射する素子アンテナからなるフェーズド・アレー・アンテナを備え、上記フェーズド・アレー・アンテナの開口面を、二つの異なる周波数のノイズ信号を放射する素子アンテナを空間的に交互にまたはランダムに配置したいわゆる複合２分割するとともに、分割された開口面に供給するノイズ信号の周波数および位相をそれぞれ独立に制御し、開口面が複合２分割された上記フェーズド・アレー・アンテナの一方から広帯域ノイズ信号をまた他方からスポットノイズ信号を同時に同一方向に指向性を持たせて送信するようにしたものである。
【００１５】
また、上記スポットノイズ信号の周波数をスイープさせるようにしたものである。
【００１６】
また、異なるｎ個（ｎは整数でｎ＞２）のノイズ信号を発生する送信機、送信信号を空間に放射する際の位相を制御する位相制御器、上記送信機からの周波数信号を分配し、上記位相制御器からの位相データに基づいてビームを形成するビーム形成回路、上記送信機と上記ビーム形成回路を結ぶｎ系統の信号伝送線路、上記位相制御器と上記ビーム形成回路を結ぶｎ系統の信号伝送線路、および空間にビームを放射する素子アンテナからなるフェーズド・アレー・アンテナを備え、上記フェーズド・アレー・アンテナの開口面を、ｎ個の異なる周波数のノイズ信号を放射する素子アンテナを空間的に交互またはランダムに配置したいわゆる複合ｎ分割するとともに、分割された開口面に供給するノイズ信号の周波数および位相をそれぞれ独立に制御し、開口面が複合ｎ分割された上記フェーズド・アレー・アンテナから広帯域ノイズ信号を同一方向に指向性を持たせて送信するようにしたものである。
【００１７】
また、異なるｎ個（ｎは整数でｎ＞２）のノイズ信号を発生する送信機、送信信号を空間に放射する際の位相を制御する位相制御器、上記送信機からの周波数信号を分配し、上記位相制御器からの位相データに基づいてビームを形成するビーム形成回路、上記送信機と上記ビーム形成回路を結ぶｎ系統の信号伝送線路、上記位相制御器と上記ビーム形成回路を結ぶｎ系統の信号伝送線路、および空間にビームを放射する素子アンテナからなるフェーズド・アレー・アンテナを備え、上記フェーズド・アレー・アンテナの開口面を、ｎ個の異なる周波数のノイズ信号を放射する素子アンテナを空間的に交互またはランダムに配置したいわゆる複合ｎ分割するとともに、分割された開口面に供給するノイズ信号の周波数および位相をそれぞれ独立に制御し、開口面が複合ｎ分割された上記フェーズド・アレー・アンテナの一つの箇所から広帯域ノイズ信号をまた残りの箇所からマルチスポットノイズ信号を同時に同一方向に指向性を持たせて送信するようにしたものである。
【００１８】
また、上記マルチスポットノイズ信号の周波数をスイープさせるようにしたものである。
【００１９】
また、異なるｎ個（ｎは整数でｎ＞２）のノイズ信号を発生する送信機、送信信号を空間に放射する際の位相を制御する位相制御器、上記送信機からの周波数信号を分配し、上記位相制御器からの位相データに基づいてビームを形成するビーム形成回路、上記送信機と上記ビーム形成回路を結ぶｎ系統の信号伝送線路、上記位相制御器と上記ビーム形成回路を結ぶｎ系統の信号伝送線路、および空間にビームを放射する素子アンテナからなるフェーズド・アレー・アンテナを備え、上記フェーズド・アレー・アンテナの開口面を、ｎ個の異なる周波数のノイズ信号を放射する素子アンテナを空間的に交互またはランダムに配置したいわゆる複合ｎ分割するとともに、分割された開口面に供給するノイズ信号の周波数および位相をそれぞれ独立に制御し、開口面が複合ｎ分割された上記フェーズド・アレー・アンテナのそれぞれから、任意の数、任意の方向の目標に対してノイズ信号を送信できるようにしたものである。
【００２０】
【発明の実施の形態】
実施の形態１．
以下、この発明の実施の形態１を図に基づいて説明する。図１において、１は送信信号（ノイズ信号）を発生する送信機、２は放射電波の位相を制御する位相制御器、３は送信機１からの信号を分配し、位相制御器２からの位相データに基づいてビームを形成するビーム形成回路、４は空間に電波ビームを放射する素子アンテナである。なお、送信機１からビーム形成回路３へ、また位相制御器２からビーム形成回路３へは、それぞれ２系統の信号伝送線路が設けてある。
【００２１】
次に動作を説明する。広帯域にわたってノイズ信号を発生させる広帯域ノイズ信号の送信をするために、図７のような中心周波数ｆ１、ｆ２の２系統のノイズ信号を送信機１で発生させる。その信号はそれぞれビーム形成回路３を通して分配され、フェーズド・アレー・アンテナの各素子アンテナ４に供給される。フェーズド・アレー・アンテナは図３のように、開口面を２分割し、２系統のノイズ信号を個別に放射する。この時、周波数ｆ１、ｆ２の差によるビーム指向角のずれを、位相制御器２の位相データφ１、φ２を独立に制御することにより補正し、図１３のように、２本のビームを同一目標に指向させ、ビーム指向角のずれのない効果的な広帯域ノイズ信号の送信を可能にしている。
【００２２】
実施の形態２．
上記実施の形態１では、アンテナ開口面を２分割しているが、本実施の形態２ではアンテナ開口面をｎ（ｎは任意の整数でｎ＞２）分割することにより、実施の形態１より広帯域の広帯域ノイズ信号を送信できるようにしている。以下、この実施の形態２を図に基づいて説明する。図２は実施の形態１の図１と基本的に同じ構成であるが、送信機１からビーム形成回路３へ、また位相制御器２からビーム形成回路３へは、それぞれｎ系統の信号伝送線路が設けてある。
【００２３】
次に動作を説明する。実施の形態１より広帯域の広帯域ノイズ信号の送信をするために、図８のような中心周波数ｆ１、ｆ２、・・・ｆｎのｎ系統のノイズ信号を送信機１で発生させる。その信号はそれぞれビーム形成回路３を通して分配され、フェーズド・アレー・アンテナの各素子アンテナ４に供給される。フェーズド・アレー・アンテナは、図４のように、開口面をｎ分割し、ｎ系統のノイズ信号を個別に放射する。この時、周波数ｆ１、ｆ２、・・・ｆｎの差によるビーム指向角のずれを、位相制御器２の位相データφ１、φ２、・・・φｎを独立に制御することにより補正し、図１４のように、ｎ本のビームを同一目標に指向させ、ビーム指向角のずれのない効果的な広帯域ノイズ信号の送信を可能にし、実施の形態１より広帯域化ができる。
【００２４】
実施の形態３．
上記実施の形態１では、アンテナ開口面を２分割したが、本実施の形態３ではアンテナ開口面を複合２分割することにより、開口面積が減少せず、アンテナ利得の低下を防止して、実施の形態１より高出力の広帯域ノイズ信号を送信できるようにしている。ここで、複合とは、異なる周波数の信号を放射する素子アンテナを空間的に交互またはランダムに配置したものを意味する。従って、複合２分割とは、２つの異なる周波数信号を放射する素子アンテナを交互またはランダムに配置したものを指している。
【００２５】
この実施の形態３の構成は、実施の形態１の図１と同様である。
【００２６】
次に動作を説明する。基本動作は、実施の形態１と同様であるが、フェーズド・アレー・アンテナは図５のように、開口面を複合２分割し、２系統の信号を個別に放射する。従って、実施の形態１と同様に、図１３のように、２本のビームを同一目標に指向させ、ビーム指向角のずれのない効果的な広帯域ノイズ信号の送信をすることができ、開口面積が減少せず、アンテナ利得の低下がないため、実施の形態１より高出力の広帯域ノイズ信号の送信ができる。
【００２７】
実施の形態４．
実施の形態２では、アンテナ開口面をｎ分割したが、本実施の形態４ではアンテナ開口面を複合ｎ分割することにより、開口面積が減少せず、アンテナ利得の低下をなくし、実施の形態２より高出力の広帯域ノイズ信号の送信ができるようにしている。ここで、複合ｎ分割とは、ｎ個の異なる周波数信号を放射する素子アンテナを交互またはランダムに配置したものを指している。
【００２８】
この実施の形態４を図の構成は実施の形態２の図２と同様である。
【００２９】
次に動作を説明する。基本動作は、実施の形態２と同様であるが、フェーズド・アレー・アンテナは図６のように、開口面を複合ｎ分割し、ｎ系統の信号を個別に放射する。従って、実施の形態２と同様に、図１４のように、ｎ本のビームを同一目標に指向させ、ビーム指向角のずれのない効果的な広帯域ノイズ信号の送信をすることができ、開口面積が減少せず、アンテナ利得の低下がないため、実施の形態２より高出力の広帯域ノイズ信号の送信ができる。
【００３０】
実施の形態５．
上記実施の形態１では、広帯域ノイズ信号の送信をするために、図７のような中心周波数ｆ１、ｆ２の２系統のノイズ信号を送信機１で発生させたが、本実施の形態５では広帯域ノイズ信号とスポット信号を同時に発生させることにより、相手レーダの受信ノイズレベルを上げ、効果的なスポット信号の送信ができるようにしている。
【００３１】
この実施の形態５の構成は実施の形態１の図１と同様である。
【００３２】
次に動作を説明する。基本動作は実施の形態１と同様であるが、図９のような、中心周波数ｆ１の広帯域ノイズ信号と、周波数ｆ２のスポット信号を送信機１で発生させる。図３のように２分割したフェーズド・アレー・アンテナの開口面の一方から広帯域ノイズ信号を、他方からスポット信号を同時に個別に放射する。このようにすることにより、まず、広帯域ノイズ信号により、相手レーダの受信ノイズレベルを上げることができ、他方のスポット信号を、周波数および位相を独立に制御することにより、相手レーダの受信周波数および方位へ放射し、効果的なスポット信号の送信をすることができる。
【００３３】
実施の形態６．
上記実施の形態２では、広帯域ノイズ信号の送信をするために、図８のような中心周波数ｆ１、ｆ２、・・・ｆｎのｎ系統のノイズ信号を送信機１で発生させたが、本実施の形態６では、広帯域ノイズ信号とマルチスポット信号を同時に発生させることにより、相手レーダの受信ノイズレベルを上げ、効果的なマルチスポット信号の送信ができるようにしている。
【００３４】
この実施の形態６の構成は実施の形態２の図２と同様である。
【００３５】
次に動作を説明する。基本動作は実施の形態２と同様であるが、図１０のような、中心周波数ｆ１の広帯域ノイズ信号と、周波数ｆ２、・・・ｆｎのマルチスポット信号を送信機１で発生させる。図４のようにｎ分割したフェーズド・アレー・アンテナの開口面の一箇所から広帯域ノイズ信号を、残りの箇所からマルチスポット信号を同時に個別に放射する。このようにすることにより、まず、広帯域ノイズ信号により、相手レーダの受信ノイズレベルを上げることができ、他方のマルチスポット信号を、周波数および位相を独立に制御することにより、相手レーダの受信周波数および方位へ放射し、効果的なマルチスポット信号の送信をすることができる。
【００３６】
実施の形態７．
上記実施の形態５では、アンテナ開口面を２分割したが、本実施の形態７では、アンテナ開口面を複合２分割することにより、開口面積を減少させず、アンテナ利得の低下をなくして、実施の形態５より高出力の効果的なスポット信号の送信ができるようにしている。
【００３７】
この実施の形態７の構成は実施の形態１の図１と同様である。
【００３８】
次に動作を説明する。基本動作は、実施の形態５と同様であるが、フェーズド・アレー・アンテナは図５のように、開口面を複合２分割し、一方から広帯域ノイズ信号を、他方からスポット信号を同時に個別に放射する。従って、実施の形態５と同様に効果的なスポット信号の送信ができ、開口面積が減少せず、アンテナ利得の低下がないため、実施の形態５より高出力のスポット信号の送信ができる。
【００３９】
実施の形態８．
上記実施の形態６ではアンテナ開口面をｎ分割したが、本実施の形態８ではアンテナ開口面を複合ｎ分割することにより、開口面積を減少させず、アンテナ利得の低下をなくして、実施の形態６より高出力の効果的なマルチスポット信号の送信ができるようにしている。
【００４０】
この実施の形態８の構成は実施の形態２の図２と同様である。
【００４１】
次に動作を説明する。基本動作は実施の形態６と同様であるが、フェーズド・アレー・アンテナは図６のように、開口面を複合ｎ分割し、一箇所から広帯域ノイズ信号を、残りの箇所からマルチスポット信号を同時に個別に放射する。従って、実施の形態６と同様に効果的なマルチスポット信号の送信ができ、開口面積が減少せず、アンテナ利得の低下がないため、実施の形態６より高出力のマルチスポット信号の送信ができる。
【００４２】
実施の形態９．
上記実施の形態５では、広帯域ノイズ信号と、スポット信号を同時に発生させたが、本実施の形態９では、このスポット信号の周波数をスイープさせることにより、目標である相手レーダの周波数ホッピング、周波数アジャイルに対処することができるようにしている。同時にスポット信号の位相を制御することにより、周波数のスイープによるビーム指向角のずれを補正する。
【００４３】
この実施の形態９の構成は実施の形態１の図１と同様である。
【００４４】
次に動作を説明する。基本動作は、実施の形態５と同様であるが、スポット信号の周波数ｆ２および位相φ２を独立に制御する。従って、スポット信号の周波数を図１１のようにスイープさせることにより、相手レーダの周波数ホッピング、周波数アジャイルに対処することができ、同時に周波数のスイープによるビーム指向角のずれを、位相データφ２によって補正し、ビーム指向角のずれのない、効果的なスポット信号の送信ができる。
【００４５】
実施の形態１０．
上記実施の形態８では広帯域ノイズ信号と、マルチスポット信号を同時に発生させたが、本実施の形態１０では、このマルチスポット信号の周波数をそれぞれスイープさせることにより、相手レーダの周波数ホッピング、周波数アジャイルに対処することができるようにしている。同時にスポット信号の位相を制御することにより、周波数のスイープによるビーム指向角のずれを補正することができる。
【００４６】
この実施の形態１０の構成は実施の形態２の図２と同様である。
【００４７】
次に動作を説明する。基本動作は、実施の形態８と同様であるが、スポット信号の周波数ｆ２、・・・ｆｎおよび位相φ２、・・・φｎを独立に制御する。従って、マルチスポット信号の周波数をそれぞれ図１２のようにスイープさせることにより、目標である相手レーダの周波数ホッピング、周波数アジャイルに対処することができ、同時に周波数のスイープによるビーム指向角のずれを、位相データφ２、・・・φｎによって補正し、ビーム指向角のずれのない、効果的なマルチスポット信号の送信ができる。
【００４８】
実施の形態１１．
上記実施の形態９では、アンテナ開口面を２分割したが、本実施の形態１１では、アンテナ開口面を複合２分割することにより、開口面積を減少させず、アンテナ利得の低下をなくし、実施の形態９より高出力の効果的なスポット信号の送信ができるようにしている。
【００４９】
この実施の形態７の構成は実施の形態１の図１と同様である。
【００５０】
次に動作を説明する。基本動作は実施の形態９と同様であるが、フェーズド・アレー・アンテナは図５のように、開口面を複合２分割する。従って、実施の形態９と同様に効果的なスポット信号の送信ができ、開口面積が減少せず、アンテナ利得の低下がないため、実施の形態９より高出力のスポット信号の送信ができる。周波数特性は図１１と同様になる。
【００５１】
実施の形態１２．
上記実施の形態１０ではアンテナ開口面をｎ分割したが、本実施の形態１２では、アンテナ開口面を複合ｎ分割することにより、開口面積を減少させず、アンテナ利得の低下をなくし、実施の形態１０より高出力の効果的なマルチスポット信号の送信ができるようにしている。
【００５２】
この実施の形態１２の構成は実施の形態２の図２と同様である。
【００５３】
次に動作を説明する。基本動作は、実施の形態１０と同様であるが、フェーズド・アレー・アンテナは図６のように、開口面を複合ｎ分割する。従って、実施の形態１０と同様に効果的なマルチスポット信号の送信ができ、開口面積が減少せず、アンテナ利得の低下がないため、実施の形態１０より高出力のマルチスポット信号の送信ができる。周波数特性は図１２と同様になる。
【００５４】
実施の形態１３．
本実施の形態１３では、フェーズド・アレー・アンテナの開口面をｎ分割し、それぞれから個別に放射する電波の周波数および位相を独立に制御することにより、実施の形態２、実施の形態６、および実施の形態１０のノイズ信号送信方式を、任意数、任意方位の多目標に対して同時に対処できるようにしている。
【００５５】
この実施の形態１３の構成は実施の形態２の図２と同様である。
【００５６】
次に動作を説明する。任意数、任意方位の同時多目標に対処をするために、フェーズド・アレー・アンテナは図４のように、開口面をｎ分割し、実施の形態２、実施の形態６、および実施の形態１０と同様なｎ系統の信号を個別に放射する。これらの電波は、位相制御器２の位相データφ１、φ２、・・・φｎを独立に制御することにより、それぞれ任意方位に指向させ、実施の形態２、実施の形態６、および実施の形態１０のノイズ信号送信を、任意数、任意方位の多目標に対して同時にできる。
【００５７】
実施の形態１４．
本実施の形態１４はフェーズド・アレー・アンテナの開口面を複合ｎ分割し、それぞれから個別に放射する電波の周波数および位相を独立に制御することにより、実施の形態４、実施の形態８、および実施の形態１２のノイズ信号送信を、任意数、任意方位の多目標に対して同時にできるようにしている。
【００５８】
この実施の形態１４の構成は実施の形態２の図２と同様である。
【００５９】
次に動作を説明する。任意数、任意方位の同時多目標に対処をするために、フェーズド・アレー・アンテナは図６のように、開口面を複合ｎ分割し、実施の形態４、実施の形態８、および実施の形態１２と同様なｎ系統の信号を個別に放射する。これらの電波は、位相制御器２の位相データφ１、φ２、・・・φｎを独立に制御することにより、それぞれ任意方位に指向させ、実施の形態４、実施の形態８、および実施の形態１２のノイズ信号送信が任意数、任意方位の多目標に対して同時にできる。
【００６０】
【発明の効果】
以上のように、この発明によれば、アンテナ開口面を分割し、分割面から個別に放射する信号の、周波数および位相を独立に制御するように構成したので、ビーム指向角のずれのない、効果的な広帯域ノイズ信号の送信ができる効果がある。
【００６１】
また、この発明によれば、アンテナ開口面を分割し、分割面から個別に放射する信号の周波数および位相を独立に制御するように構成したので、一箇所から広帯域ノイズ信号を、残りの箇所からスポット信号あるいはマルチスポット信号を放射し、相手レーダの受信ノイズレベルを上げ、効果的なスポット信号の送信あるいはマルチスポット信号の送信ができる効果がある。
【００６２】
また、この発明によれば、アンテナ開口面を分割し、分割面から個別に放射する信号の周波数および位相を独立に制御するように構成したので、一箇所から広帯域ノイズ信号を、残りの箇所からスポット信号あるいはマルチスポット信号を放射し、さらに周波数をスイープさせることにより、相手レーダの受信ノイズレベルを上げ、効果的なスポット信号の送信あるいはマルチスポット信号の送信ができる上に、相手レーダの周波数ホッピング、周波数アジャイルに対処できる効果がある。
【００６３】
また、この発明によれば、アンテナ開口面を分割し、分割面から個別に放射する信号の周波数および位相を独立に制御するように構成したので、上記のそれぞれのノイズ信号送信が、任意数、任意方位の多目標に対して同時にできる効果がある。
【図面の簡単な説明】
【図１】この発明の実施の形態１、実施の形態３、実施の形態５、実施の形態７、実施の形態９、および実施の形態１１に係るノイズ信号送信方式を示す図である。
【図２】この発明の実施の形態２、実施の形態４、実施の形態６、実施の形態８、実施の形態１０、実施の形態１２、実施の形態１３、および実施の形態１４に係るノイズ信号送信方式を示す図である。
【図３】この発明の実施の形態１、実施の形態５、および実施の形態９のアンテナ開口面分割の仕方を示す斜視図である。
【図４】この発明の実施の形態２、実施の形態１０、および実施の形態１３のアンテナ開口面分割の仕方を示す斜視図である。
【図５】この発明の実施の形態３、実施の形態７、および実施の形態１１のアンテナ開口面分割の仕方を示す斜視図である。
【図６】この発明の実施の形態４、実施の形態８、実施の形態１２、および実施の形態１４のアンテナ開口面分割の仕方を示す斜視図である。
【図７】この発明の実施の形態１と実施の形態３における放射電波の周波数特性を示す図である。
【図８】この発明の実施の形態２と実施の形態４における放射電波の周波数特性を示す図である。
【図９】この発明の実施の形態５と実施の形態７における放射電波の周波数特性を示す図である。
【図１０】この発明の実施の形態６と実施の形態８における放射電波の周波数特性を示す図である。
【図１１】この発明の実施の形態９と実施の形態１１における放射電波の周波数特性を示す図である。
【図１２】この発明の実施の形態１０と実施の形態１２における放射電波の周波数特性を示す図である。
【図１３】この発明の実施の形態１と実施の形態３のビーム指向角を示す平面図である。
【図１４】この発明の実施の形態２と実施の形態４のビーム指向角を示す平面図である。
【図１５】従来のノイズ信号送信方式を示す図である。
【図１６】従来のノイズ信号送信方式のビーム指向角を示す平面図である。
【符号の説明】
１  送信機、          ２  位相制御器、
３  ビーム形成回路、  ４  素子アンテナ。
【図１】
0003586396.tif 000002
【図２】
0003586396.tif 000003
【図３】
0003586396.tif 000004
【図４】
0003586396.tif 000005
【図５】
0003586396.tif 000006
【図６】
0003586396.tif 000007
【図７】
0003586396.tif 000008
【図８】
0003586396.tif 000009
【図９】
0003586396.tif 000010
【図１０】
0003586396.tif 000011
【図１１】
0003586396.tif 000012
【図１２】
0003586396.tif 000013
【図１３】
0003586396.tif 000014
【図１４】
0003586396.tif 000015
【図１５】
0003586396.tif 000016
【図１６】
0003586396.tif 000017